【手続補正書】
【提出日】平成19年5月1日(2007.5.1)
【手続補正１】
【補正対象書類名】特許請求の範囲
【補正対象項目名】全文
【補正方法】変更
【補正の内容】
【特許請求の範囲】
【請求項１】
インターネットに接続される複数のサーバに格納された所定の言語形式に従うページ情報をインターネット或いは携帯電話通信網に接続される複数のユーザの端末装置に伝達する方法において、予め端末装置識別子或いはＵＲＬアドレス或いは端末装置識別子とＵＲＬアドレスからなる登録アドレスに対応して第２のＵＲＬアドレスと略リンクアドレスによって指定する伝達領域或いはこれに加えて情報送付先端末装置アドレスを設定記憶するステップと、前記登録アドレスに対応する伝達領域である前記第２のＵＲＬアドレスのサーバをアクセスし所定の言語形式に従う第１のページ情報を受信するステップと、前記登録アドレスに対応する前記第２のＵＲＬアドレスと略リンクアドレスよって設定された伝達領域を読み出し、前記第１のページ情報から前記伝達領域の文字データを選択的に抽出し第１の文字データを生成するステップと、前記第１の文字データを前記登録アドレスである端末装置識別子、或いは、前記登録アドレスに対応する情報送付先端末装置アドレスへ送信するステップを具備することを特徴とするインターネットに接続される複数のサーバに格納された所定の言語形式に従うページ情報をインターネット或いは携帯電話通信網に接続される複数のユーザの端末装置に伝達する方法。
【請求項２】
インターネットに接続される複数のサーバに格納された所定の言語形式に従うページ情報をインターネット或いは携帯電話通信網に接続される複数のユーザの端末装置に伝達する方法において、予め端末装置識別子或いはＵＲＬアドレス或いは端末装置識別子とＵＲＬアドレスからなる登録アドレスに対応して第２のＵＲＬアドレスと略リンクアドレスによって指定する伝達領域或いはこれに加えて情報送付先アドレスを設定記憶するステップと、端末装置のＵＲＬアドレスへの情報要求信号をスタートとして端末装置識別子及びＵＲＬアドレスを検知し登録アドレスに対応する伝達領域である前記第２のＵＲＬアドレスのサーバをアクセス、或いは、端末装置識別子に送信するタイミングを与える送信タイミング信号をスタートとして送信タイミング信号の前記端末装置識別子からなる登録アドレスに対応する伝達領域である前記第２のＵＲＬアドレスのサーバをアクセスし所定の言語形式に従う第１のページ情報を受信するステップと、前記登録アドレスに対応する前記第２のＵＲＬアドレスと略リンクアドレスよって設定された伝達領域を読み出し、前記第１のページ情報から前記伝達領域の文字データを選択的に抽出し第１の文字データを生成するステップと、前記第１の文字データを前記端末装置識別子或いは前記情報送付先アドレスの端末装置へ送信するステップを具備することを特徴とするインターネットに接続される複数のサーバに格納された所定の言語形式に従うページ情報をインターネット或いは携帯電話通信網に接続される複数のユーザの端末装置に伝達する方法。
【請求項３】
インターネットに接続される複数のサーバに格納された所定の言語形式に従うページ情報をインターネット或いは携帯電話通信網に接続される複数のユーザの端末装置に伝達し表示する方法において、予め端末装置識別子或いはＵＲＬアドレス或いは端末装置識別子とＵＲＬアドレスからなる登録アドレスに対応して第２のＵＲＬアドレスと略リンクアドレスと文字記号配置の特徴によって指定する伝達領域或いはこれに加えて情報送付先アドレスを設定記憶するステップと、端末装置のＵＲＬアドレスへの情報要求信号をスタートとして端末装置識別子及びＵＲＬアドレスを検知し登録アドレスに対応する伝達領域である前記第２のＵＲＬアドレスのサーバをアクセス、或いは、端末装置識別子に送信するタイミングを与える送信タイミング信号をスタートとして送信タイミング信号の前記端末装置識別子からなる登録アドレスに対応する伝達領域である前記第２のＵＲＬアドレスのサーバをアクセスし所定の言語形式に従う第１のページ情報を受信するステップと、登録アドレスに対応する前記第２のＵＲＬアドレスと略リンクアドレスよって設定された伝達領域を読み出し、前記第１のページ情報から前記伝達領域の文字データを選択的に抽出し第１の文字データを生成するステップと、前記第１のページ情報から前記伝達領域のリンクアドレスデータを選択的に抽出しリンクアドレスを生成するステップと、前記第２のＵＲＬアドレスかつ前記リンクアドレスの所定の言語形式に従う第２の文字データを含むページ情報をサーバより受信するステップと、前記登録アドレスに対応する前記第２のＵＲＬアドレスと略リンクアドレスに対応する文字記号配置の特徴よって設定された伝達領域を読み出し、受信した前記第２の文字データを含むページ情報から文字記号配置の特徴により設定される前記伝達領域の文字データを選択的に抽出し第２の文字データを生成するステップと、前記第１の文字データと前記第２の文字データを所定の言語形式に従うページ情報或いは電子メール情報の送信伝達情報として変換し前記端末装置識別子或いは前記情報送付先アドレスの端末装置へ送信するステップと、前記端末装置は前記送信伝達情報を受信するステップと、前記送信伝達情報を表示情報に変換し表示するステップを具備することを特徴とするインターネットに接続される複数のサーバに格納された所定の言語形式に従うページ情報をインターネット或いは携帯電話通信網に接続される複数のユーザの端末装置に伝達し表示する方法。
【請求項４】
インターネットに接続される複数のサーバに格納された所定の言語形式に従うページ情報をインターネット或いは携帯電話通信網に接続される複数のユーザの端末装置に伝達する方法において、予め端末装置識別子或いはＵＲＬアドレス或いは端末装置識別子とＵＲＬアドレスからなる登録アドレスに対応して第２のＵＲＬアドレスと略リンクアドレスと文字記号配置の特徴によって指定する伝達領域或いはこれに加えて情報送付先アドレスを設定記憶するステップと、端末装置のＵＲＬアドレスへの情報要求信号をスタートとして端末装置識別子及びＵＲＬアドレスを検知し登録アドレスに対応する伝達領域である前記第２のＵＲＬアドレスのサーバをアクセス、或いは、端末装置識別子に送信するタイミングを与える送信タイミング信号をスタートとして送信タイミング信号の前記端末装置識別子からなる登録アドレスに対応する伝達領域である前記第２のＵＲＬアドレスのサーバをアクセスし所定の言語形式に従う第１のページ情報を受信するステップと、前記登録アドレスに対応する前記第２のＵＲＬアドレスと略リンクアドレスよって設定された伝達領域を読み出し、前記第１のページ情報から前記伝達領域の文字データを選択的に抽出し第１の文字データを生成するステップと、前記第１のページ情報から前記伝達領域のリンクアドレスデータを選択的に抽出しリンクアドレスを生成するステップと、前記第１の文字データに対して第３のＵＲＬリンクアドレスをリンクボタンとして設定する所定の言語形式に従う新たなページ情報である第１の文字データを含むリンク付きページ情報を生成するステップと、前記第１の文字データを含むリンク付きページ情報を前記端末装置識別子或いは前記情報送付先アドレスの端末装置に送信するステップと、前記第２のＵＲＬアドレスかつ前記リンクアドレスの所定の言語形式に従う第２の文字データを含むページ情報をサーバより受信するステップと、前記登録アドレスに対応する前記第２のＵＲＬアドレスと略リンクアドレスに対応する文字記号配置の特徴よって設定された伝達領域を読み出し、受信した前記第２の文字データを含むページ情報から文字記号配置の特徴により設定される前記伝達領域の文字データを選択的に抽出し第２の文字データを生成するステップと、前記第３のＵＲＬリンクアドレスに対応して第２の文字データを記憶するステップと、前記端末装置より前記第１の文字データを含むリンク付きページ情報に存在する前記第３のＵＲＬリンクアドレスへのアクセスを検出するステップと、前記第３のＵＲＬリンクアドレスにアクセスを検出したとき前記第２の文字データを所定の言語形式に従うページ情報である第２の文字データを含むページ情報を生成するステップと、前記第２の文字データを含むページ情報を前記端末装置識別子或いは前記情報送付先アドレスの端末装置へ送信するステップを具備することを特徴とするインターネットに接続される複数のサーバに格納された所定の言語形式に従うページ情報をインターネット或いは携帯電話通信網に接続される複数のユーザの端末装置に伝達する方法。
【請求項５】
インターネットに接続される複数のサーバに格納された所定の言語形式に従うページ情報をインターネット或いは携帯電話通信網に接続される複数のユーザの端末装置に伝達するインターネット或いはこれに加えて携帯電話通信網に接続される情報伝達装置において、予め端末装置識別子或いはＵＲＬアドレス或いは端末装置識別子とＵＲＬアドレスからなる登録アドレスに対応して第２のＵＲＬアドレスと略リンクアドレスと文字記号配置の特徴９ＢＴによって指定する伝達領域或いはこれに加えて情報送付先アドレスを記憶手段に出力する伝達領域設定手段と、端末装置のＵＲＬアドレスへの情報要求信号を受けＵＲＬアドレスを含む第１のＵＲＬアドレス受信要求信号と前記情報要求信号を発生した端末装置識別子を出力する第１の受信手段、或いは、所定の時間に情報送信要求であるＵＲＬアドレス送信タイミング信号と端末装置識別子を出力する送信タイミング発生手段からなる情報要求信号発生手段と、前記第１のＵＲＬアドレス受信要求信号或いは前記送信タイミング信号と前記識別子を受け、前記記憶手段から前記端末装置識別子或いは前記ＵＲＬアドレス或いは前記端末装置識別子と前記ＵＲＬアドレスからなる登録アドレスに対応する伝達領域である前記第２のＵＲＬアドレスを読み出し前記第２のＵＲＬアドレスのサーバへアクセスする第１のページ情報要求を発生しサーバアクセスを制御するサーバアクセス制御手段と、前記第１のページ情報要求を受け、前記第１のページ情報要求と情報伝達装置の端末アドレスを含む第１のページ情報要求信号を前記サーバへインターネットを介して送信する第２の送信手段と、前記第２のＵＲＬアドレスのサーバから所定の言語形式に従う第１のページ情報を受信し第１の受信ページ情報を出力する第２の受信手段と、前記登録アドレスに対応する前記第２のＵＲＬアドレスと略リンクアドレスによって設定される伝達領域を記憶手段より受け、前記第１の受信ページ情報から前記伝達領域の文字データを選択的に抽出し前記略リンクアドレスに対する第１の文字データを生成する第１の伝達領域文字抽出手段と、前記登録アドレスに対応する前記第２のＵＲＬアドレスと略リンクアドレスに対応し前記第１の文字データを記憶し、かつ、前記伝達領域或いはこれに加えて前記情報送付先アドレス等の必要な情報を記憶する記憶手段と、前記第１の文字データを記憶手段から読み出し所定の言語形式に従うページ情報である第１の文字データを含むページ情報を生成出力する第１のページ情報生成手段と、前記第１の文字データを含むページ情報を受け前記端末装置識別子或いは前記情報送付先アドレスの端末装置へインターネット或いは携帯電話通信網を介して前記第１の文字データを含むページ情報と前記端末装置識別子或いは前記情報送付先アドレスを含む前記送信伝達情報を送信する第１の送信手段を具備することを特徴とするインターネットに接続される複数のサーバに格納された所定の言語形式に従うページ情報をインターネット或いは携帯電話通信網に接続される複数のユーザの端末装置に伝達するインターネット或いはこれに加えて携帯電話通信網に接続される情報伝達装置。
【請求項６】
インターネットに接続される複数のサーバに格納された所定の言語形式に従うページ情報をインターネット或いは携帯電話通信網に接続される複数のユーザの端末装置に伝達するインターネット或いはこれに加えて携帯電話通信網に接続される情報伝達装置において、予め端末装置識別子或いはＵＲＬアドレス或いは端末装置識別子とＵＲＬアドレスからなる登録アドレスに対応して第２のＵＲＬアドレスと略リンクアドレスと文字記号配置の特徴９ＢＴによって指定する伝達領域或いはこれに加えて情報送付先アドレスを記憶手段に出力する伝達領域設定手段と、端末装置のＵＲＬアドレスへの情報要求信号を受けＵＲＬアドレスを含む第１のＵＲＬアドレス受信要求信号と前記情報要求信号を発生した端末装置識別子を出力、および、端末装置の第３のリンクアドレスへの情報要求信号を受け第３のリンクアドレスを含む第３のリンクアドレス受信要求信号と前記情報要求信号を発生した端末装置識別子を出力する第１の受信手段と、前記第１のＵＲＬアドレス受信要求信号と前記端末装置識別子を受け、前記記憶手段から前記端末装置識別子或いは前記ＵＲＬアドレス或いは前記端末装置識別子と前記ＵＲＬアドレスからなる登録アドレスに対応する伝達領域である前記第２のＵＲＬアドレスと略リンクアドレスを読み出し前記第２のＵＲＬアドレスのサーバへアクセスする第１のページ情報要求とリンクアドレス読出手段で読み出されたリンクアドレスのサーバにアクセスする第２のページ要求信号を発生しサーバアクセスを制御するサーバアクセス制御手段と、前記第１のページ情報要求を受け、前記第１のページ情報要求と情報伝達装置の端末アドレスを含む第１のページ情報要求信号を前記サーバへインターネットを介して送信し、かつ、前記第２のページ情報要求を受け、前記第２のページ情報要求と情報伝達装置の端末アドレスを含む第２のページ情報要求信号を前記サーバへインターネットを介して送信する第２の送信手段と、前記第２のＵＲＬアドレスのサーバから所定の言語形式に従う第１のページ情報を受信し第１の受信ページ情報を出力し、かつ、リンクアドレス読出手段より抽出されるリンクアドレスの所定の言語形式に従う第２の文字データを含むページ情報をサーバより受信し第２の受信ページ情報を出力する第２の受信手段と、前記登録アドレスに対応する前記第２のＵＲＬアドレスと略リンクアドレスによって設定される伝達領域を記憶手段より受け、前記第１の受信ページ情報から前記伝達領域の文字データを選択的に抽出し前記略リンクアドレスに対する第１の文字データを生成する第１の伝達領域文字抽出手段と、前記登録アドレスに対応する前記第２のＵＲＬアドレスと略リンクアドレスによって設定される伝達領域を記憶手段より受け、前記第１の受信ページ情報から前記伝達領域のリンクアドレスデータを選択的に抽出し前記略リンクアドレスに対するリンクアドレスを生成するリンクアドレス読出手段と、前記第１の文字データをリンクボタン付の新たなＵＲＬリンクアドレスである第３のリンクアドレスとして設定する所定の言語形式に従う第１の文字データを含むリンク付きページ情報を生成する第１のページ情報生成手段と、前記登録アドレスに対応する前記第２のＵＲＬアドレスと略リンクアドレスに対応する文字記号配置の特徴により設定される伝達領域を読出し、第２の受信手段からの第２の受信ページ情報から文字データを選択的に抽出し第２の文字データを生成する第２の伝達領域文字抽出手段と、前記第３のリンクアドレスと対応する第２の文字データを記憶手段から読み出し所定の言語形式に従うページ情報である第２の文字データを含むページ情報を生成出力する第２のページ情報生成手段と、前記第３のリンクアドレス及び前記第３のリンクアドレスに対応して第２の文字データを記憶し、かつ、前記伝達領域或いはこれに加えて前記情報送付先アドレス等の必要な情報を記憶する記憶手段と、前記端末装置の第３のリンクアドレスへのアクセスによる第１の受信手段から第３のリンクアドレス受信要求信号を受け第３のリンクアドレスに対応する前記第２の文字データを記憶手段から読み出し所定の言語形式に従うページ情報である第２の文字データページ情報を生成出力する第２のページ情報生成手段と、第１のページ情報生成手段からの前記第１の文字データを含むリンク付きページ情報を受け、第１の文字データを含むリンク付きページ情報と情報伝達装置の端末アドレスを含む第１の文字データを含むリンク付きページ情報送信信号を端末装置へ、及び、第２のページ情報生成手段からの前記第２の文字データページ情報を受け前記端末装置識別子或いは前記情報送付先アドレスを含む第２の文字データを含むページ情報送信信号を端末装置へインターネット或いは携帯電話通信網を介して送信する第１の送信手段を具備することを特徴とするインターネットに接続される複数のサーバに格納された所定の言語形式に従うページ情報をインターネット或いは携帯電話通信網に接続される複数のユーザの端末装置に伝達するインターネット或いはこれに加えて携帯電話通信網に接続される情報伝達装置。
【請求項７】
インターネットに接続される複数のサーバに格納された所定の言語形式に従うページ情報を受信し表示する端末装置において、予めＵＲＬアドレスとＵＲＬアドレスに対応する略リンクアドレスによって指定する伝達領域を設定し記憶手段に出力する伝達領域設定手段と、前記ＵＲＬアドレスのサーバをアクセスするためのアクセス情報を発生するアクセス情報発生手段と、前記アクセス情報を通信網を介してサーバに送信する送信手段と、前記ＵＲＬアドレスの前記サーバから通信網を介して所定の言語形式に従うページ情報を受信する受信手段と、前記ＵＲＬアドレスと前記ＵＲＬアドレスに対応する前記略リンクアドレスで設定される伝達領域を記憶手段より読出し、前記ページ情報から前記伝達領域の文字データを選択的に抽出し第１の文字データを生成する第１の伝達領域文字抽出手段と、前記第１の文字データを表示情報に変換する変換手段と、表示情報を表示する表示手段と、必要な情報を記憶する記憶手段を具備することを特徴とするインターネットに接続される複数のサーバに格納された所定の言語形式に従うページ情報を受信し表示する端末装置。
【請求項８】
インターネットに接続されるサーバに格納された所定の言語形式に従うページ情報をインターネット或いは携帯電話通信網に接続される複数のユーザの端末装置に伝達するサーバにおいて、予め端末装置識別子或いはＵＲＬアドレス或いは端末装置識別子とＵＲＬアドレスからなる登録アドレスに対応して第２のＵＲＬアドレスと略リンクアドレスによって指定する伝達領域或いはこれに加えて情報送付先端末装置アドレスを設定し記憶手段に出力する伝達領域設定手段と、インターネット或いは携帯電話通信網に接続される端末識別子をもつ端末装置のＵＲＬアドレスへの情報要求信号を受信し、或いは端末装置識別子の端末装置に送信するタイミングを与える送信タイミング信号を受信し登録アドレスを検知し検出登録アドレスを出力する登録アドレス検知手段と、前記検出登録アドレスを受け登録アドレスに対応する前記第２のＵＲＬアドレスを記憶手段より読出し前記第２のＵＲＬアドレスの第１のページ情報を読み出し、かつ、前記登録アドレスに対応する前記第２のＵＲＬアドレスと略リンクアドレスにより設定される伝達領域を読み出し、前記第１のページ情報から前記伝達領域の文字データを選択的に抽出し第１の文字データを生成する第１の伝達領域文字抽出手段と、前記登録アドレスに対応して前記第２のＵＲＬアドレスと略リンクアドレス、及び、これらに対応して前記第１の文字データを記憶し、かつ、前記伝達領域或いはこれに加えて前記情報送付先アドレス、或いは、サーバとしての第１のページ情報等の必要な情報を記憶する記憶手段と、前記第１の文字データを所定の言語形式に従うページ情報或いは電子メール情報である送信伝達情報として変換する情報変換手段と、前記送信伝達情報を前記登録アドレスに対応する端末装置識別子或いは情報送付先端末装置アドレスへインターネット或いは携帯電話通信網を介して送信する送信手段を具備することを特徴とするインターネットに接続されるサーバに格納された所定の言語形式に従うページ情報をインターネット或いは携帯電話通信網に接続される複数のユーザの端末装置に伝達するサーバ。
【請求項９】
インターネットに接続される複数のサーバに格納された所定の言語形式に従うページ情報をインターネット或いは携帯電話通信網に接続される複数のユーザの端末装置に伝達する方法において、予め端末装置識別子或いはＵＲＬアドレス或いは端末装置識別子とＵＲＬアドレスからなる登録アドレスに対応して第２のＵＲＬアドレスと略リンクアドレスによって指定する伝達領域或いはこれに加えて情報送付先端末装置アドレスを設定記憶するステップと、登録アドレスに対応する伝達領域である前記第２のＵＲＬアドレスのサーバをアクセスし所定の言語形式に従う第１のページ情報を受信するステップと、登録アドレスに対応する前記第２のＵＲＬアドレスと略リンクアドレスによって設定する伝達領域を読出し、前記第１のページ情報から前記伝達領域の文字データを選択的に抽出し第１の文字データを生成するステップと、前記第１の文字データを記憶するステップと、前記第１の文字データの最新データと一つ前のデータを比較し異なる更新情報であることを判別するステップと、更新情報であると判別された前記第１の文字データを前記登録アドレスである端末装置識別子、或いは、前記登録アドレスに対応する情報送付先端末装置アドレスへ送信するステップを具備することを特徴とするインターネットに接続される複数のサーバに格納された所定の言語形式に従うページ情報をインターネット或いは携帯電話通信網に接続される複数のユーザの端末装置に伝達する方法。